(57)【要約】      （修正有）【課題】履物本体に取り付けられた保持ベルトのベルト長さを調整できる範囲を広く確保して、履くことを容易にする履物を提供する。【解決手段】伸縮性のある綿のニットに柔らかいウレタンフォームを貼り合わせてなる、ソフトで伸縮性がある素材を使用して、靴本体２を製造している。靴本体２の後部には、各端部において長さ調整が可能である保持ベルト３が取り外し可能に取り付けられている。【選択図】図１
0003191011.tif 000002
【実用新案登録請求の範囲】
【請求項１】
伸縮性のある綿のニットに柔らかいウレタンフォームを貼り合わせてなる、ソフトで伸縮性がある素材を使用した履物であって、
履物本体と、
前記履物本体の甲部またはかかと部に装着され、各端部において長さ調整が可能で取り外し可能である保持ベルトとを備えることを特徴とする履物。
【請求項２】
前記保持ベルトは、少なくとも一端部が、前記履物本体のベルト取付部に巻き付けて長さ調整可能に面ファスナー手段を介して取り外し可能に取り付けられている、請求項１記載の履物。
【請求項３】
前記保持ベルトは、前記面ファスナー手段を介して接合される側とは反対側に指入れ部が設けられている請求項２記載の履物。
【請求項４】
前記履物本体の、甲部を覆う部分は、一側部から延びる下側部分と、他側部から延びる上側部分とが面ファスナー手段を介して幅方向長さ調整可能に接合され、前記甲部にフィットするように構成されている請求項１〜３のいずれか１項に記載の履物。
【請求項５】
前記履物本体は、かかと部分に指入れ部を備えるとともに、
前記かかと部分周りに、踏みつけても折れ癖が付きにくく踏みつけて使用した後も復元しやすい素材からなるカウンター芯が設けられている請求項１〜４のいずれか１項に記載の履物。
【請求項６】
トゥスプリングは１．５〜２．０ｃｍで、
中底、本底及びヒールにはＥＶＡスポンジが全面に使用され、  
ヒール部に、滑り止めゴムが設けられている、請求項１〜５のいずれか１項に記載の履物。
【考案の詳細な説明】
【技術分野】
【０００１】
本考案は、履物を履く着用者の足囲に応じて保持ベルトの長さ調整できるようにした履物に関するものである。
【背景技術】
【０００２】
補装具等の装着や、リュウマチ等で、足趾に変形があることなどを原因として、市販されている靴を着用するのが困難な場合がある。そのような場合において、外見だけでも見栄え良くしたいと考えると、片方だけのためにサイズ寸法の大きな靴を一足別に購入せざるを得ないのが現状である。また、健康・介護用商品におしゃれ心を求める豊かさが浸透しつつあり、左右別サイズで選べる履物においても、今後さらに種類、デザインなどの豊富化が求められている。
【０００３】
そこで、シューホン等の補装具や治療用足底板等を装着している場合や、また、リュウマチ等で足趾に変形があり、市販の靴を履くことができない場合などのために、しかも必要に応じて患足、健足それぞれ片足ずつの対応ができるようにした靴が提案されている（例えば特許文献１参照）。すなわち、ソフトで通気性のある布材を使用し軽量化したベルト付き靴であって、靴底はヒールのないフラット底とし、また滑り止め効果をもたせた滑り止め底であり、踵は足底板や装具の使用に対応できるよう十分な甲皮の深さがあり、トゥボックスは装具使用や足部の変形にも対応できるよう十分な高さがあり、十分な高さのあるトゥスプリングを有し、甲皮の継ぎ目は甲皮を折り返すと大きな履き口を形成するようにボールラインよりもつまさき側に設けられ、前記ベルトは甲部分にしっかりと止まり甲ラインにフィットするように取り付けられている靴である。これにより、寸法の短い足とか異るサイズ寸法や異る足甲部の高さであっても、バンドが甲部へ確実に密着し馴染んで、歩行時、容易に脱げることなく軽快に歩行できる。
【先行技術文献】
【特許文献】
【０００４】
【特許文献１】特開２０００−１６９０９号公報
【考案の概要】
【考案が解決しようとする課題】
【０００５】
前記特許文献１記載のものでは、取付金具（角カン）を使用することによりベルトを着ける角度を甲部に沿わして調整することができるようにしているが、補装具や足底板を装着した足、リュウマチなどで変形がある足などの場合には、靴を履く着用者の足囲によってはうまく履くことができない場合がある。
【０００６】
本考案は、着用者の足囲に応じてベルト長さを調整できる範囲を広く確保して、補装具や足底板を装着した足、リュウマチなどで変形がある足などの場合であっても、履くことを容易にできる履物を提供することを目的とする。
【課題を解決するための手段】
【０００７】
請求項１の考案は、伸縮性のある綿のニットに柔らかいウレタンフォームを貼り合わせてなる、ソフトで伸縮性がある素材を使用した履物であって、履物本体と、前記履物本体の甲部またはかかと部に装着され、各端部において長さ調整が可能で取り外し可能である保持ベルトとを備えることを特徴とする。
【０００８】
請求項１の考案によれば、補装具や足底板を装着した足、リュウマチなどで変形がある足や、浮腫などで市販の靴を履くことができない足であっても、着用者の足囲に応じて保持ベルト長さを調整して、足にしっかりとフィットさせて履くことができる。特に、各端部において長さ調整が可能であるので、調整範囲が広くなり、履くことが容易になる。また、保持ベルトを取り外して履くこともできる。
【０００９】
請求項２に記載のように、前記保持ベルトは、少なくとも一端部が、前記履物本体の保持ベルト取り付け部に巻き付けて長さ調整可能に面ファスナー手段を介して取り外し可能に取り付けられている、ことが望ましい。
【００１０】
請求項２の考案によれば、面ファスナー手段を利用して、保持ベルトの長さを広範囲にわたって調整できる構造を簡単に実現できる。
【００１１】
請求項３に記載のように、前記保持ベルトは、前記面ファスナー手段を介して接合される側とは反対側に指入れ部が設けられていることが望ましい。
【００１２】
請求項３の考案によれば、手指に障害がある人でも、ベルト先を摘まずに、リーチャーや指先を引っかけるだけで使用できる。
【００１３】
請求項４に記載のように、前記履物本体の、甲部を覆う部分は、一側部から延びる下側部分と、他側部から延びる上側部分とが面ファスナー手段を介して幅方向長さ調整可能に接合され、前記甲部にフィットするように構成されていることが望ましい。
【００１４】
請求項４の考案によれば、甲部の大きさに応じて、長さの調整ができ、爪先の傷害や足指の変形がある場合にも、対応できる。
【００１５】
請求項５に記載のように、前記履物本体は、かかと部分に指入れ部を備えるとともに、
前記かかと部分周りに、踏みつけても折れ癖が付きにくく踏みつけて使用した後も復元しやすい素材からなるカウンター芯が設けられていることが望ましい。
【００１６】
請求項５の考案によれば、かかとに障害がある場合には、靴のかかと部を踏みつけて履くことができ、また、踏みつけて履いた後も復元しやすく、通常通り着用することができる。
【００１７】
請求項６に記載のように、トゥスプリングは１．５〜２．０ｃｍで、中底、本底及びヒールにはＥＶＡスポンジが全面に使用され、  ヒール部に、滑り止めゴムが設けられていることが望ましい。
【００１８】
請求項６の考案によれば、歩行寺にスムーズな滑り出しができ、地面からの衝撃を和らげ、膝や腰への負担を軽減でき、スリップによる転倒を防止することもできる。
【考案の効果】
【００１９】
本考案は、補装具や足底板を装着した足、リュウマチなどで変形がある足や、浮腫などで市販の靴を履くことができない足であっても、着用者の足囲に応じて保持ベルトの長さを調整して、足にしっかりとフィットさせて履くことができる。特に、各端部において長さ調整が可能であるので、調整範囲が広くなり、履くことが容易になる。また、保持ベルトを取り外して履くこともできる。
【図面の簡単な説明】
【００２０】
【図１】本考案に係る履物の第１の実施の形態を示す斜視図である。
【図２】第１の実施の形態においてバンドを取り外した状態を示す斜視図である。
【図３】第１の実施の形態においてバンドを取り付ける手順を示す斜視図である。
【図４】第１の実施の形態においてバンドを取り付ける手順を示す斜視図である。
【図５】第１の実施の形態において、甲部を覆う部分を解放した状態の斜視図である。
【図６】本幸案に係る履物の第２の実施の形態を示す斜視図である。
【図７】第２の実施の形態においてバンドを取り外した状態を示す斜視図である。
【図８】第２の実施の形態においてバンドを取り付ける手順を示す斜視図である。
【考案を実施するための形態】
【００２１】
以下、本考案の実施の形態を図面に沿って説明する。
（第１の実施の形態）
本考案に係る履物である靴１は、伸縮性のある綿のニットに柔らかいウレタンフォームを貼り合わせてなる、ソフトで伸縮性がある素材を使用してなり、図１に示すように、足の甲部を上側から押さえて保持する保持ベルト３が靴本体２の後部に装着されている。
【００２２】
保持ベルト３は、一端部が、靴本体２の一側部に設けられたベルト取付金具４（ベルト取付部）に巻き付けられて、ベルト長さ調整可能に面ファスナー手段を介して取り外し可能に取り付けられる。この面ファスナー手段は、ベルト下面の一端部側に雄部５Ａが、残りの部分に雌部５Ｂがそれぞれ設けられ、雄部５Ａの部分をベルト取付金具４に巻き付けて雌部５Ｂにかみ合わせることで、保持ベルト３をベルト取付金具４に取り付けることができる。
【００２３】
この面ファスナー手段５を介して接合される側とは反対側の面（上面）には、第１の指入れ部６が設けられている。
【００２４】
また、保持ベルト３の他端部は、靴本体２の他側部には面ファスナー手段の雄部７が設けられ、この雄部７と保持ベルト３側の雌部５Ｂとをかみ合わせることで、ベルト長さを調整しつつ接合することができる。
【００２５】
保持ベルト３は、各端部において、面ファスナー手段（雄部５Ａ，７、雌部５Ｂ）による接合部位を変更することで、２カ所において調整することができるようになる。よって、ベルト長さを調整できる範囲が広範囲になり、着用者の足囲に応じて調整できるので、履くのが容易になる。これにより、足にしっかりとフィットすることを実現できる。このように、周知の面ファスナー手段を利用することで、取り付け・取り外しを容易にできるので、保持ベルト３が不要な場合には取り外して、靴を履くようにすることも可能である。
【００２６】
また、保持ベルト３に第１の指入れ部６を設けているので、手指に障害がある人もでも、ベルト先を摘まずに、リーチャーや指先を引っかけるだけで、ベルトの取り付け・取り外しができる。なお、第１の指入れ部６は、お酒落なワンポイントアクセントとなるように色・柄を考慮すれば、お酒落と使いやすさとの両立を図ることができる。
【００２７】
さらに、靴本体２の後部（かかと部）には、第２の指入れ部８が設けられている。この第２の指入れ部８は、少し大きめに形成され、シューホンなどの補装具や足底板を装着している場合や、リュウマチや浮腫等で足に変形がある場合であっても、スムーズに着脱ができるようになっている。また、第２の指入れ部８があることで、自分で履く場合でも、人に履かせてもらう場合でも容易に靴の着脱が行える。
【００２８】
第２の指入れ部８が設けられている部分であるカウンター芯９には、踏みつけても折れ癖が付きにくい素材を使用している。これにより、かかとに障害がある場合には、靴１のかかと部を踏みつけて履くことができ。また、踏みつけて使用した後も復元しやすく、通常通りに履くことができる。
【００２９】
靴本体１の前部は、左右の一方の舌状部分１０（下側部分）の上側に、他方の舌状部分１１（上側部分）が上側から面ファスナー手段（雄部１２Ａ、雌部１２Ｂ）を介して接合することで幅方向長さ調整可能に構成されている。舌状部分１０，１１を面ファスナー手段を用いて接合するようにしているので、甲部の足囲に応じて、接合位置の調整ができる。また、靴本体１を形成する素材は、伸縮性のある綿１００％のニットに、柔らかいウレタンフォームを貼り合せた伸縮性に優れる素材であるので、着用時には、通気性もよく、靴下のようなソフト感のある足当たりで、足をソフトに包み込むようになっている。そして、これらにより、靴の着脱が容易に行える。
【００３０】
通気性がよいだけでなく、ライニング（裏生地）と中底とに抗菌（制菌）防臭素材を使用し、抗菌（制菌）防臭加工を施しているので、いつまでも清潔に使用することができる。
【００３１】
また、伸縮性のある素材を使用することに加えて、爪先を高く、幅を広く（４Ｅ相当：社内基準）した靴型（ラスト）を使用して、ゆったりサイズ設計で製造しているので、爪先の障害や足指の変形にも対応でき、靴型（ラスト）以上のサイズ範囲で着用することができる。
【００３２】
そのほか、トゥスプリングを１．５〜２．０ｃｍつけ、つま先を持ち上げたラスト（靴型）を使用しているので、歩行時にスムーズな蹴りだしが行え、スムーズな歩行を実現できる。
【００３３】
中庭・水底・ヒールには、スニーカーなどにも使用されているＥＶＡスポンジを全面に使用しているので、抜群のクッション性を発揮し、地面からの衝撃を和らげ、膝や腹への負担を軽減する。
【００３４】
このように、つま先部のトゥスプリングを十分にとって持ち上げ、素材にはつっかかりにくいＥＶＡ素材を使用することに加えて、ヒール部に、スリップ転倒防止のため滑りにくいようにゴム貼り加工（滑り止め加工）を施しているので、すり足等での歩行時での躓きを防ぐことができる。
【００３５】
さらに、甲材・中底・本底のそれぞれの材料に、軽量で耐久性に優れる素材を使用することで、軽量化を図っている。
【００３６】
前記実施の形態では、本発明を靴１に適用しているが、次に説明するようにサンダルに適用することも可能である。
（第２の実施の形態）
図６〜図８に示すように、サンダル２１のサンダル本体２２の前側部分左右の一方の舌状部分２３の上側に他方の部分２４が上側から面ファスナー手段（雄部２５Ａ、雌部２５Ｂ）を介して幅方向長さ調整可能に接合されている。
【００３７】
面ファスナー手段を介して接合しているので、第１の実施の形態と同様に、足の甲部の足囲に応じて、幅方向長さの調整を容易に行うことができるようになっている。
【００３８】
そして、各舌状部分２３，２４の後側には、ベルト取付金具２６，２７がそれぞれ取り付けられており、保持ベルト２８の各端部が、各ベルト取り付け金具２６，２７にそれぞれ巻き付けられて、ベルト長さ調整可能に面ファスナー手段（雄部２９Ａ，３０Ａ，雌部２９Ｂ，３０Ｂ）を介して、かかと部に取り外し可能に取り付けられている。
【００３９】
この場合も保持ベルト２８の両端部において、ベルト長さを調整できるようにしているので、調整範囲を広く確保でき、足にしっかりとフィットさせて履くことを実現できる。
【符号の説明】
【００４０】
１  靴
２  靴本体
３  保持ベルト
４  ベルト取付金具
５Ａ  面ファスナー手段の雄部
５Ｂ  面ファスナー手段の雌部
６  第１の指入れ部
７  面ファスナー手段の雄部  
８  第２の指入れ部
９  カウンター芯
１０，１１  舌状部分
２１  サンダル
２２  サンダル本体
２３，２４  舌状部分
２５Ａ  面ファスナー手段の雄部
２５Ｂ  面ファスナー手段の雌部
２６，２７  ベルト取付金具
２８  保持ベルト
２９Ａ，３０Ａ  面ファスナー手段の雄部
２９Ｂ，３０Ｂ  面ファスナー手段の雌部
【図１】
0003191011.tif 000003
【図２】
0003191011.tif 000004
【図３】
0003191011.tif 000005
【図４】
0003191011.tif 000006
【図５】
0003191011.tif 000007
【図６】
0003191011.tif 000008
【図７】
0003191011.tif 000009
【図８】
0003191011.tif 000010